(57)【要約】【課題】分配回路及びインピーダンス整合回路を設ける必要があり、回路規模が大きくなった。【解決手段】（１）無線波に重畳されている電力及び信号のうち当該電力を受けるための第１のループアンテナ本体と、前記第１のループアンテナ本体とが共振する第１のキャパシタと、を有する第１のループアンテナと、（２）前記第１のループアンテナ本体により規定される閉平面内において、前記第１のループアンテナ本体の中点と、その中点とが近接した状態で設けられ、前記信号を受け、かつ、前記第１のループアンテナ本体と電磁結合を行うための第２のループアンテナ本体と、前記第２のループアンテナ本体とが共振する第２のキャパシタと、を有する第２のループアンテナと、を含む。【選択図】図１
2009159200.tif 000002
【特許請求の範囲】
【請求項１】
（１）（１ａ）無線波に重畳されている、実質的に同一の周波数である平衡型の電力及び平衡型の信号のうち当該平衡型の電力を受けるための、前記周波数により定まる波長の長さより極めて短い第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の中点と、その中点とが近接した状態で設けられ、前記平衡型の信号を受け、かつ、前記第１のループアンテナ本体と電磁結合を行うための、前記波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含むことを特徴とするループアンテナシステム。
【請求項２】
（１）（１ａ）無線波に重畳されている、実質的に同一の周波数である不平衡型の電力及び不平衡型の信号のうち当該不平衡型の電力を受けるための、前記周波数により定まる波長の長さより極めて短い第１のループアンテナ本体であって、当該第１のループアンテナ本体の一端が接地電位に接続されている前記第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の前記一端と、接地電位に接続されているその一端とが近接した状態で設けられ、前記不平衡型の信号を受け、かつ、前記第１のループアンテナ本体と電磁結合を行うための、前記波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含むことを特徴とするループアンテナシステム。
【請求項３】
（１）（１ａ）無線波に重畳されている、実質的に同一の周波数である平衡型の電力及び不平衡型の信号のうち当該平衡型の電力を受けるための、前記周波数により定まる波長の長さより極めて短い第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の中点と、接地電位に接続されているその一端とが近接した状態で設けられ、前記不平衡型の信号を受け、かつ、前記第１のループアンテナ本体と電磁結合を行うための、前記波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含むことを特徴とするループアンテナシステム。
【請求項４】
（１）（１ａ）無線波に重畳されている、実質的に同一の周波数である不平衡型の電力及び平衡型の信号のうち当該不平衡型の電力を受けるための、前記周波数により定まる波長の長さより極めて短い第１のループアンテナ本体であって、当該第１のループアンテナ本体の一端が接地電位に接続されている前記第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の前記一端と、その中点とが近接した状態で設けられ、前記平衡型の信号を受け、かつ、前記第１のループアンテナ本体と電磁結合を行うための、前記周波数により定まる波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含むことを特徴とするループアンテナシステム。
【発明の詳細な説明】
【技術分野】
【０００１】
本発明は、送信システムから送出される無線波に重畳されている、実質的に同一の周波数である電力及び信号を受けるための、受信システムに設けられているループアンテナシステムに関する。
【背景技術】
【０００２】
前記電力及び前記信号を受ける従来のループアンテナシステムは、下記の特許文献１〜５に記載されているように、２つのループアンテナを含む。
【０００３】
【特許文献１】特表平１１−５０２３８６号公報
【特許文献２】特開２００１−２９２０１８号公報
【特許文献３】特開２００２−８４１２３号公報
【特許文献４】特開２００２−１７６３１２号公報
【特許文献５】特許第２８２４７８９号公報
【発明の開示】
【発明が解決しようとする課題】
【０００４】
しかしながら、上記した特許文献３に記載された従来のループアンテナシステムでは、給電点が１箇所である。従って、当該給電点から、例えば、前記電力を後続の電力回路に供給し、かつ、前記信号を後続の受信回路に出力するには、当該給電点の後方に、前記電力と前記信号とを分けるための分配回路、及び、前記電力回路の入力インピーダンス及び前記受信回路の入力インピーダンスと整合を取るためのインピーダンス整合回路を設ける必要があり、回路規模が大きくなるという問題があった。また、上記した特許文献３に記載された従来のループアンテナシステムでは、上記した２つのループアンテナ間の間隔は、単に前記周波数のみにより定められることから、当該２つのループアンテナ間の電磁結合が必ずしも望ましいとは限らないという問題があった。
【課題を解決するための手段】
【０００５】
本発明は、上記した課題を解決すべく、以下の適用例により実現される。
【０００６】
［適用例１］
適用例１のループアンテナシステムは、
（１）（１ａ）無線波に重畳されている、実質的に同一の周波数である平衡型の電力及び平衡型の信号のうち当該平衡型の電力を受けるための、前記周波数により定まる波長の長さより極めて短い第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の中点と、その中点とが近接した状態で設けられ、前記平衡型の信号を受け、かつ、前記第１のループアンテナ本体と電磁結合を行うための、前記波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含む。
【０００７】
［適用例２］
適用例２のループアンテナシステムは、
（１）（１ａ）無線波に重畳されている、実質的に同一の周波数である不平衡型の電力及び不平衡型の信号のうち当該不平衡型の電力を受けるための、前記周波数により定まる波長の長さより極めて短い第１のループアンテナ本体であって、当該第１のループアンテナ本体の一端が接地電位に接続されている前記第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の前記一端と、接地電位に接続されているその一端とが近接した状態で設けられ、前記不平衡型の信号を受け、かつ、前記第１のループアンテナ本体と電磁結合を行うための、前記波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含む。
【０００８】
［適用例３］
適用例３のループアンテナシステムは、
（１）（１ａ）無線波に重畳されている、実質的に同一の周波数である平衡型の電力及び不平衡型の信号のうち当該平衡型の電力を受けるための、前記周波数により定まる波長の長さより極めて短い第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の中点と、接地電位に接続されているその一端とが近接した状態で設けられ、前記不平衡型の信号を受け、かつ、前記第１のループアンテナ本体と電磁結合を行うための、前記波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含む。
【０００９】
［適用例４］
適用例４のループアンテナシステムは、
（１）（１ａ）無線波に重畳されている、実質的に同一の周波数である不平衡型の電力及び平衡型の信号のうち当該不平衡型の電力を受けるための、前記周波数により定まる波長の長さより極めて短い第１のループアンテナ本体であって、当該第１のループアンテナ本体の一端が接地電位に接続されている前記第１のループアンテナ本体と、
（１ｂ）前記第１のループアンテナ本体と並列接続され、前記第１のループアンテナ本体と前記周波数で共振する第１のキャパシタと、を有する第１のループアンテナと、
（２）（２ａ）前記第１のループアンテナ本体により規定される閉平面内において、前記第１のループアンテナ本体の前記一端と、その中点とが近接した状態で設けられ、前記平衡型の信号を受け、かつ、前記第１のループアンテナ本体と電磁結合を行うための、前記周波数により定まる波長の長さより極めて短い第２のループアンテナ本体と、
（２ｂ）前記第２のループアンテナ本体と並列接続され、前記第２のループアンテナ本体と前記周波数で共振する第２のキャパシタと、を有する第２のループアンテナと、を含む。
【００１０】
適用例１〜適用例４のループアンテナシステムによれば、前記第１のループアンテナ本体と、前記第２のループアンテナ本体という２つのアンテナ本体を含むことにより、従来のような分配回路及びインピーダンス回路を設ける必要が無く、その結果、回路規模を小さくすることが可能となる。
【００１１】
適用例１〜適用例４のループアンテナシステムによれば、また、前記第１のループアンテナ本体における電流の値が最大となる点（接地電位に接続された一方の端点、又は、当該本体の全長の中央位置である中点）と、前記第２のループアンテナ本体のおける電流の値が最大となる点（上記したと同様な、接地電位に接続された一方の端点、又は、当該本体の全長の中央位置である中点）とが近接していることから、当該２つのループアンテナ間での電磁結合の効率を、当該電流の値の大きさを何ら考慮していなかった従来に比して良好にすることが可能となる。
【発明を実施するための最良の形態】
【００１２】
《実施例１：外側が平衡型、内側が平衡型》
実施例１のループアンテナシステムについて図面を参照して説明する。
【００１３】
図１は、実施例１のループアンテナシステムの構成を示す。実施例１のループアンテナシステムＬＡＳ１０は、図１に示されるように、送信システム（図示せず。）から送出される無線波Ｍ１０に重畳されている、実質的に周波数ｆ１０が同一である「平衡型」の電力Ｐ１０及び「平衡型」の信号Ｓ１０を受け、当該受けた電力Ｐ１０及び信号Ｓ１０を電源回路ＰＳ１０及び受信回路ＲＸ１０に出力すべく、第１のループアンテナＬＡ１１と、第２のループアンテナＬＡ１２とを含む。
【００１４】
第１のループアンテナＬＡ１１は、前記無線波Ｍ１０に含まれる前記電力Ｐ１０を受け、かつ、当該無線波Ｍ１０に含まれる前記信号Ｓ１０の少なくとも一部を受けるべく、第１のループアンテナ本体Ｌ１１と、第１のキャパシタＣ１１とを有する。第１のループアンテナ本体Ｌ１１は、全長が、前記周波数ｆ１０により定まる波長の長さより極めて短く（例えば、波長の長さの十分の一の長さ）、また、矩形状である。第１のキャパシタＣ１１は、前記第１のループアンテナ本体Ｌ１１に、当該第１のループアンテナ本体Ｌ１１の両端である端子（給電点）Ｔ１０ａ、Ｔ１０ｂの近傍で並列接続されている。前記第１のループアンテナ本体Ｌ１１と前記第１のキャパシタＣ１１とは、ＬＣ共振回路を構成することにより、前記周波数ｆ１０で共振する。第１のループアンテナＬＡ１１は、当該共振により抽出される電力Ｐ１０を、端子Ｔ１０ａ、Ｔ１０ｂに接続されている電源回路ＰＳ１０に出力する。
【００１５】
第２のループアンテナＬＡ１２は、前記無線波Ｍ１０に含まれる前記信号Ｓ１０を受けるべく、第２のループアンテナ本体Ｌ１２と、第２のキャパシタＣ１２とを有する。第２のループアンテナ本体Ｌ１２は、第１のループアンテナ本体Ｌ１１と同様に、全長が、前記周波数ｆ１０により定まる波長の長さより極めて短く、また、矩形状である。第２のキャパシタＣ１２は、前記第２のループアンテナ本体Ｌ１２に、当該第２のループアンテナ本体Ｌ１２の両端Ｅ１０ａ、Ｅ１０ｂの近傍で並列接続されている。前記第２のループアンテナ本体Ｌ１２と当該第２のキャパシタＣ１２とは、ＬＣ共振回路を構成することにより、前記周波数ｆ１０で共振する。当該第２のループアンテナＬＡ１２は、当該共振により抽出される信号Ｓ１０を、端子（給電点）Ｔ１１ａ、Ｔ１１ｂに接続されている受信回路ＲＸ１０に出力する。
【００１６】
上記した構成に加えて、図１中の鎖線で示されるように、平衡型の電源回路ＰＳ１０のための第１のループアンテナＬＡ１１の中点ＣＰ１１と、平衡型の信号Ｓ１０のための第２のループアンテナＬＡ１２の中点ＣＰ１２が近接しており、より詳しくは、第１のループアンテナＬＡ１１における、電流ｉ１１が最大になる点（図中で、太い矢印で明示。以下、同様。）である中点ＣＰ１１と、第２のループアンテナＬＡ１２における、電流ｉ１２が最大になる点である中点ＣＰ１２とが、近接している。これにより、第２のループアンテナＬＡ１２は、前記第１のループアンテナＬＡ１１から、当該第１のループアンテナＬＡ１１が受けた信号Ｓ１０を伝送され、しかも、当該結合（伝送）を効率的に行うことができる。
【００１７】
上述したように、実施例１のループアンテナシステムＬＡＳ１０では、電力Ｐ１０を受けかつ供給するための第１のループアンテナＬＡ１１が、給電点である端子Ｔ１０ａ、Ｔ１０ｂを有し、また、信号Ｓ１０を受けかつ供給するための第２のループアンテナＬＡ１２が、他の給電点である端子Ｔ１１ａ、Ｔ１１ｂを有することから、従来必要であった分配回路及び整合回路が不要となり、その結果、回路規模を縮小することが可能となる。
【００１８】
また、実施例１のループアンテナシステムＬＡＳ１０では、第２のループアンテナ本体Ｌ１２が、当該第２のループアンテナ本体Ａ１２の中点ＣＰ１２と第１のループアンテナ本体Ｌ１１の中点ＣＰ１１とが近接するように配置されていることから、第１のループアンテナ本体Ｌ１１と第２のループアンテナ本体Ｌ１２との間での電磁結合による、第１のループアンテナ本体Ｌ１１から第２のループアンテナ本体Ｌ１２への平衡型の信号Ｓ１０の伝送を従来に比して効率的に行うことが可能となる。
【００１９】
換言すれば、平衡型の信号Ｓ１０の結合の効率が従来と同様であることが許される条件下では、第２のループアンテナ本体Ｌ１２の大きさを従来に比して小型にすることができ、その結果、閉平面ＰＬ１０内での第２のループアンテナＬＡ１２の配置の自由度を従来に比して高めることが可能となる。
【００２０】
《実施例２：外側が不平衡型、内側が不平衡型》
実施例２のループアンテナシステムについて図面を参照して説明する。
【００２１】
図２は、実施例２のループアンテナシステムの構成を示す。実施例２のループアンテナシステムＬＡＳ２０は、図２に示されるように、送信システム（図示せず。）から送出される無線波Ｍ２０に重畳されている、実質的に周波数ｆ２０が同一である「不平衡型」の電力Ｐ２０及び「不平衡型」の信号Ｓ２０を受け、当該受けた電力Ｐ２０及び信号Ｓ２０を電源回路ＰＳ２０及び受信回路ＲＸ２０に出力すべく、第１のループアンテナＬＡ２１と、第２のループアンテナＬＡ２２とを含む。
【００２２】
第１のループアンテナＬＡ２１は、前記無線波Ｍ２０に含まれる前記電力Ｐ２０を受け、かつ、当該無線波Ｍ２０に含まれる前記信号Ｓ２０の少なくとも一部を受けるべく、第１のループアンテナ本体Ｌ２１と、第１のキャパシタＣ２１とを有する。第１のループアンテナ本体Ｌ２１は、全長が、前記周波数ｆ２０により定まる波長の長さより極めて短く（例えば、波長の長さの十分の一の長さ）であり、また、矩形状である。第１のキャパシタＣ２１は、前記第１のループアンテナ本体Ｌ２１に、当該第１のループアンテナ本体Ｌ２１の一端である端子（給電点）Ｔ２０の近傍と、他端Ｅ２０（接地電位）との間に並列接続されている。第１のループアンテナ本体Ｌ２１と第２のキャパシタＣ２１とは、ＬＣ共振回路を構成することにより、前記周波数ｆ２０で共振する。第１のループアンテナＬＡ２１は、当該共振により抽出される電力Ｐ２０を、端子Ｔ２０に接続されている電源回路ＰＳ２０に出力する。
【００２３】
第２のループアンテナＬＡ２２は、前記無線波Ｍ２０に含まれる前記信号Ｓ２０を受けるべく、第２のループアンテナ本体Ｌ２２と、第２のキャパシタＣ２２とを有する。第２のループアンテナ本体Ｌ２２は、第１のループアンテナ本体Ｌ２１と同様に、全長が、前記周波数ｆ２０により定まる波長の長さより極めて短く、また、矩形状である。第２のキャパシタＣ２２は、第２のループアンテナ本体Ｌ２２に、当該第２のループアンテナ本体Ｌ２２の一端である端子Ｅ２１ａの近傍と、他端Ｅ２１ｂ（接地電位）との間に並列接続されている。第２のループアンテナ本体Ｌ２２と第２のキャパシタＣ２２とは、ＬＣ共振回路を構成することにより、前記周波数ｆ２０で共振する。当該第２のループアンテナＬＡ２２は、前記共振により抽出される信号Ｓ２０を、端子（給電点）Ｔ２１に接続されている受信回路ＲＸ２０に出力する。
【００２４】
上記した構成に加えて、図２中の鎖線で示されるように、不平衡型の電源回路ＰＳ２０のための第１のループアンテナＬＡ２１の他端Ｅ２０（接地電位）と、不平衡型の信号Ｓ２０のための第２のループアンテナＬＡ２２の他端Ｅ２１ｂ（接地電位）とが近接しており、換言すれば、第１のループアンテナＬＡ２１における、電流ｉ２１が最大になる点である他端Ｅ２０（接地電位）と、第２のループアンテナＬＡ２２における、電流ｉ２２が最大になる点である他端Ｅ２１ｂ（接地電位）とが、近接している。これにより、第２のループアンテナＬＡ２２は、前記第１のループアンテナＬＡ２１から、当該第１のループアンテナＬＡ２１が受けた信号Ｓ２０を伝送され、しかも、当該結合（伝送）を効率的に行うことができる。
【００２５】
上述したように、実施例２のループアンテナシステムＬＡＳ２０では、電力Ｐ２０を受けかつ供給するための第１のループアンテナＬＡ２１が、給電点である端子Ｔ２０を有し、また、信号Ｓ２０を受けかつ供給するための第２のループアンテナＬＡ２２が、他の給電点である端子Ｔ２１を有することから、実施例１と同様に、従来の分配回路及び整合回路が不要となり、その結果、回路規模を縮小化することができる。
【００２６】
また、実施例２のループアンテナシステムＬＡＳ２０では、第２のループアンテナ本体Ｌ２２が、当該第２のループアンテナ本体Ｌ２２の他端Ｅ２１ｂ（接地電位）と第１のループアンテナ本体Ｌ２１の他端Ｅ２０（接地電位）とが近接するように配置されていることから、実施例１と同様に、第１のループアンテナ本体Ｌ２１と第２のループアンテナ本体Ｌ２２との間での電磁結合による、第１のループアンテナ本体Ｌ２１から第２のループアンテナ本体Ｌ２２への不平衡型の信号Ｓ２０の結合（伝送）を従来に比して効率的に行うことが可能となる。
【００２７】
換言すれば、不平衡型の信号Ｓ２０の結合の効率が従来と同様であることが許される条件下では、第２のループアンテナ本体Ｌ２２の大きさを従来に比して小型にすることができ、その結果、実施例１と同様に、閉平面ＰＬ２０内での第２のループアンテナＬＡ２２の配置の自由度を従来に比して高めることが可能となる。
【００２８】
《実施例３：外側が平衡型、内側が不平衡型》
実施例３のループアンテナシステムについて図面を参照して説明する。
【００２９】
図３は、実施例３のループアンテナシステムの構成を示す。実施例３のループアンテナシステムＬＡＳ３０は、図３に示されるように、送信システム（図示せず。）から送出される無線波Ｍ３０に重畳されている、実質的に周波数ｆ３０が同一である「平衡型」の電力Ｐ３０及び「不平衡型」の信号Ｓ３０を受け、当該受けた電力Ｐ３０及び信号Ｓ３０を電源回路ＰＳ３０及び受信回路ＲＸ３０に出力すべく、第１のループアンテナＬＡ３１と、第２のループアンテナＬＡ３２とを含む。
【００３０】
第１のループアンテナＬＡ３１は、前記無線波Ｍ３０に含まれる前記電力Ｐ３０を受け、かつ、当該無線波Ｍ３０に含まれる前記信号Ｓ３０の少なくとも一部を受けるべく、第１のループアンテナ本体Ｌ３１と、第１のキャパシタＣ３１とを有する。第１のループアンテナ本体Ｌ３１は、全長が、前記周波数ｆ３０により定まる波長の長さより極めて短く（例えば、波長の長さの十分の一の長さ）、また、矩形状である。第１のキャパシタＣ３１は、前記第１のループアンテナ本体Ｌ３１に、当該第１のループアンテナ本体Ｌ３１の両端である端子（給電点）Ｔ３０ａ、Ｔ３０ｂの近傍で並列接続されている。前記第１のループアンテナ本体Ｌ３１と前記第１のキャパシタＣ３１とは、ＬＣ共振回路を構成することにより、前記周波数ｆ３０で共振する。第１のループアンテナＬＡ３１は、当該共振により抽出される電力Ｐ３０を、端子Ｔ３０ａ、Ｔ３０ｂに接続されている電源回路ＰＳ３０に出力する。
【００３１】
第２のループアンテナＬＡ３２は、前記無線波Ｍ３０に含まれる前記信号Ｓ３０を受けるべく、第２のループアンテナ本体Ｌ３２と、第２のキャパシタＣ３２とを有する。第２のループアンテナ本体Ｌ３２は、第１のループアンテナ本体Ｌ３１と同様に、全長が、前記周波数ｆ３０により定まる波長の長さより極めて短く、また、矩形状である。第２のキャパシタＣ３２は、前記第２のループアンテナ本体Ｌ３２に、当該第２のループアンテナ本体Ｌ３２の一端Ｅ３０ａの近傍と他端Ｅ３０ｂ（接地電位）との間に並列接続されている。前記第２のループアンテナ本体Ｌ３２と当該第２のキャパシタＣ３２とは、ＬＣ共振回路を構成することにより、前記周波数ｆ３０で共振する。当該第２のループアンテナＬＡ３２は、当該共振により抽出される信号Ｓ３０を、端子（給電点）Ｔ３１に接続されている受信回路ＲＸ３０に出力する。
【００３２】
上記した構成に加えて、図３中の鎖線で示されるように、第１のループアンテナＬＡ３１の中点ＣＰ３１と、前記第２のループアンテナＬＡ３２の他端Ｅ３０ｂ（接地電位）が近接しており、より詳しくは、第１のループアンテナＬＡ３１における、電流ｉ３１が最大になる点である中点ＣＰ３１と、第２のループアンテナＬＡ３２における、電流ｉ３２が最大になる点である他端Ｅ３０ｂとが、近接している。これにより、第２のループアンテナＬＡ３２は、前記第１のループアンテナＬＡ３１から、当該第１のループアンテナＬＡ３１が受けた信号Ｓ３０を伝送され、しかも、当該結合（伝送）を効率的に行うことができる。
【００３３】
上述したように、実施例３のループアンテナシステムＬＡＳ３０では、電力Ｐ３０を受けかつ供給するための第１のループアンテナＬＡ３１が、給電点である端子Ｔ３０ａ、Ｔ３０ｂを有し、また、信号Ｓ３０を受けかつ供給するための第２のループアンテナＬＡ３２が、他の給電点である端子Ｔ３１を有することから、実施例１及び実施例２と同様に、従来必要であった、分配回路及び整合回路が不要となり、その結果、回路規模を縮小することが可能となる。
【００３４】
また、実施例３のループアンテナシステムＬＡＳ３０では、第２のループアンテナ本体Ｌ３２が、第１のループアンテナ本体Ｌ３１の中点ＣＰ３１と第２のループアンテナ本体Ｌ１２の他端Ｅ３０ｂとが近接するように配置されていることから、第１のループアンテナ本体Ｌ３１と第２のループアンテナ本体Ｌ３２との間での電磁結合による、第１のループアンテナ本体Ｌ３１から第２のループアンテナ本体Ｌ３２への不平衡型の信号Ｓ３０の結合（伝送）を従来に比して効率的に行うことが可能となる。
【００３５】
換言すれば、不平衡型の信号Ｓ３０の結合の効率が従来と同様であることが許される条件下では、第２のループアンテナ本体Ｌ３２の大きさを従来に比して小型にすることができ、その結果、閉平面ＰＬ３０内での第２のループアンテナＬＡ３２の配置の自由度を従来に比して高めることが可能となる。
【００３６】
《実施例４：外側が不平衡型、内側が平衡型》
実施例４のループアンテナシステムについて図面を参照して説明する。
【００３７】
図４は、実施例４のループアンテナシステムの構成を示す。実施例４のループアンテナシステムＬＡＳ４０は、図４に示されるように、送信システム（図示せず。）から送出される無線波Ｍ４０に重畳されている、実質的に周波数ｆ４０が同一である「不平衡型」の電力Ｐ４０及び「平衡型」の信号Ｓ４０を受け、当該受けた電力Ｐ４０及び信号Ｓ４０を電源回路ＰＳ４０及び受信回路ＲＸ４０に出力すべく、第１のループアンテナＬＡ４１と、第２のループアンテナＬＡ４２とを含む。
【００３８】
第１のループアンテナＬＡ４１は、前記無線波Ｍ４０に含まれる前記電力Ｐ４０を受け、かつ、当該無線波Ｍ４０に含まれる前記信号Ｓ４０の少なくとも一部を受けるべく、第１のループアンテナ本体Ｌ４１と、第１のキャパシタＣ４１とを有する。第１のループアンテナ本体Ｌ４１は、全長が、前記周波数ｆ４０により定まる波長の長さより極めて短く（例えば、波長の長さの十分の一の長さ）、また、矩形状である。第１のキャパシタＣ４１は、前記第１のループアンテナ本体Ｌ４１に、当該第１のループアンテナ本体Ｌ４１の一端である端子Ｔ４０（給電点）、他端Ｅ４０（接地電位）の近傍間で並列接続されている。前記第１のループアンテナ本体Ｌ４１と前記第１のキャパシタＣ４１とは、ＬＣ共振回路を構成することにより、前記周波数ｆ４０で共振する。第１のループアンテナＬＡ４１は、当該共振により抽出される電力Ｐ４０を、端子Ｔ４０に接続されている電源回路ＰＳ４０に出力する。
【００３９】
第２のループアンテナＬＡ４２は、前記無線波Ｍ４０に含まれる前記信号Ｓ４０を受けるべく、第２のループアンテナ本体Ｌ４２と、第２のキャパシタＣ４２とを有する。第２のループアンテナ本体Ｌ４２は、第１のループアンテナ本体Ｌ４１と同様に、全長が、前記周波数ｆ４０により定まる波長の長さより極めて短く、また、矩形状である。第２のキャパシタＣ４２は、前記第２のループアンテナ本体Ｌ４２に、当該第２のループアンテナ本体Ｌ４２の両端Ｅ４２ａ、Ｅ４２ｂの近傍で並列接続されている。前記第２のループアンテナ本体Ｌ４２と当該第２のキャパシタＣ４２とは、ＬＣ共振回路を構成することにより、前記周波数ｆ４０で共振する。当該第２のループアンテナＬＡ４２は、当該共振により抽出される信号Ｓ４０を、端子（給電点）Ｔ４１ａ、Ｔ４１ｂに接続されている受信回路ＲＸ４０に出力する。
【００４０】
上記した構成に加えて、図４中の鎖線で示されるように、第１のループアンテナＬＡ４１の他端（接地電位）Ｅ４０と、前記第２のループアンテナＬＡ４２の中点ＣＰ４２が近接しており、より詳しくは、第１のループアンテナＬＡ４１における、電流ｉ４１が最大になる点である他端（接地電位）Ｅ４０と、第２のループアンテナＬＡ４２における、電流ｉ４２が最大になる点である中点ＣＰ４２とが、近接している。これにより、第２のループアンテナＬＡ４２は、前記第１のループアンテナＬＡ４１から、当該第１のループアンテナＬＡ４１が受けた信号Ｓ４０を伝送され、しかも、当該結合（伝送）を効率的に行うことができる。
【００４１】
上述したように、実施例４のループアンテナシステムＬＡＳ４０では、電力Ｐ４０を受けかつ供給するための第１のループアンテナＬＡ４１が、給電点である端子Ｔ４０を有し、また、信号Ｓ４０を受けかつ供給するための第２のループアンテナＬＡ４２が、他の給電点である端子Ｔ４１ａ、Ｔ４１ｂを有することから、実施例１〜実施例３と同様に、従来必要であった、分配回路及び整合回路が不要となり、その結果、回路規模を縮小することが可能となる。
【００４２】
また、実施例４のループアンテナシステムＬＡＳ４０では、第２のループアンテナ本体Ｌ４２が、当該第１のループアンテナ本体Ｌ４１の他端（接地電位）Ｅ４０と、第２のループアンテナ本体Ｌ４２の中点ＣＰ４２とが近接するように配置されていることから、第１のループアンテナ本体Ｌ４１と第２のループアンテナ本体Ｌ４２との間での電磁結合による、第１のループアンテナ本体Ｌ４１から第２のループアンテナ本体Ｌ４２への平衡型の信号Ｓ４０の結合を従来に比して効率的に行うことが可能となる。
【００４３】
換言すれば、平衡型の信号Ｓ４０の結合の効率が従来と同様であることが許される条件下では、第２のループアンテナ本体Ｌ４２の大きさを従来に比して小型にすることができ、その結果、閉平面ＰＬ４０内での第２のループアンテナＬＡ４２の配置の自由度を従来に比して高めることが可能となる。
【図面の簡単な説明】
【００４４】
【図１】実施例１のループアンテナシステムの構成を示す図。
【図２】実施例２のループアンテナシステムの構成を示す図。
【図３】実施例３のループアンテナシステムの構成を示す図。
【図４】実施例４のループアンテナシステムの構成を示す図。
【符号の説明】
【００４５】
ＬＡＳ１０…ループアンテナシステム、ＬＡ１１…第１のループアンテナ、Ｌ１１…第１のループアンテナ本体、Ｃ１１…第１のキャパシタ、ＬＡ１２…第２のループアンテナ、Ｌ１２…第２のループアンテナ本体、Ｃ１２…第２のキャパシタ、ＰＳ１０…電源回路、ＲＸ１０…受信回路。
【図１】
2009159200.tif 000003
【図２】
2009159200.tif 000004
【図３】
2009159200.tif 000005
【図４】
2009159200.tif 000006